(57)【特許請求の範囲】
【請求項１】
ボール弁を用いた消火栓の上方に開口した放水口に装着されるキャップであって、該キャップに、前記放水口内に挿入され、下端面が閉止状態の弁体の近傍に至る逆円錐台状の排水部材を設けたことを特徴とする消火栓の放水口用キャップ。
【請求項２】
前記排水部材は、その上部外周面に、排水部材の軸線に対して傾斜したガイド部を有するガイド面が突設されていることを特徴とする請求項１記載の消火栓の放水口用キャップ。
【発明の詳細な説明】
【０００１】
【発明の属する技術分野】
本発明は、消火栓の放水口用キャップに関し、詳しくは、放水口内に残留した水が凍結するおそれのある地域に設置した消火栓の放水口に装着するキャップとして最適な構造の放水口用キャップに関する。
【０００２】
【従来の技術】
放水口が上方に開口した地下式消火栓は、放水後や点検後に放水口内に水が残留するため、寒冷地では、この水が凍結して次の放水操作ができなくなることがある。このため、寒冷地に設置する消火栓では、放水口の下部に排水弁を設けて放水口内に残留した水を排出できるようにしている。
【０００３】
【発明が解決しようとする課題】
しかし、放水や点検を終えたときに、毎回排水弁を開いて放水口内の排水を行わなければならず、消火栓自体がマンホール内等の地下に設置してあるため、その操作も面倒であった。
【０００４】
そこで本発明は、消火栓の放水口内の水が凍結しても放水操作を問題なく行うことができる消火栓の放水口用キャップを提供することを目的としている。
【０００５】
【課題を解決するための手段】
上記目的を達成するため、本発明の消火栓の放水口用キャップは、ボール弁を用いた消火栓の上方に開口した放水口に装着されるキャップであって、該キャップに、前記放水口内に挿入され、下端面が閉止状態の弁体の近傍に至る逆円錐台状の排水部材を設けたことを特徴とし、さらに、前記排水部材の上部外周面に、排水部材の軸線に対して傾斜したガイド部を有するガイド面が突設されていることを特徴としている。
【０００６】
【発明の実施の形態】
図１乃至図３は、本発明の放水口用キャップの一形態例を示すもので、図１はキャップを装着した状態を示す消火栓の断面図、図２はキャップを下方から見た一部切欠き斜視図、図３はキャップの底面図である。
【０００７】
まず、本形態例に示す消火栓１は、水道管路に接続するためのフランジ２を有する弁箱３内に、半球面状の主弁体４と副弁体５とを開閉可能に収納したものであって、弁箱３の上方には、主弁体４の上部に設けられた開口に差し金具６を装着した放水口（ホース接続口）７が設けられている。
【０００８】
この放水口７に装着されるキャップ１０は、従来のキャップと同形状のキャップ本体１１と、該キャップ本体１１の内面から下方に突出した逆円錐台状の排水部材１２とで形成されている。
【０００９】
排水部材１２は、上部が放水口７の内径より僅かに小さな外径に形成されており、長さは、閉止状態の主弁体４の外周面に下端面１３が当接するか、外周面の直近に下端面１３が達するように形成されている。この下端面１３の形状は、主弁体４の外面形状に対応した凹面形状に形成されている。また、上部外周面には、排水部材１２の外面から僅かに突出したガイド面１４が設けられている。さらに、キャップ本体１１の外周にはキャップ１０を回動させる際の手がかりとなる突出部１５が４箇所設けられ、上面には、チェーン連結用の突起１６が設けられている。
【００１０】
排水部材１２の外面の傾斜角度は、キャップ１０を装着した状態で放水口７内の水が凍結したときに、氷の中に埋もれた状態の排水部材１２を引き抜くことが可能な範囲で、かつ、下端面１３を十分な大きさ（外径）に形成できるように設定されている。
【００１１】
すなわち、キャップ１０を装着した放水口７内の水が凍結すると、凍結時の水（氷）の体積増加によって氷が排水部材１２を締付けるように作用し、この力により排水部材１２を締め付ける水平方向の力と、排水部材１２を上方に持ち上げようとする鉛直方向の力とが発生する。したがって、排水部材１２の外面傾斜角度が小さく、円柱に近くなると氷の締付け力によって排水部材１２を締め付ける水平方向の力が大きくなるので、排水部材１２を回転させたり、抜取ったりするのに多大な力を必要とすることになる。逆に外面傾斜角度を大きくすると、排水部材１２の抜取り力は軽減できるが、排水部材１２の下端面１３が小さくなるため、主弁体４の上面外周に付着する氷の量が多くなり、主弁体４を開くために大きな力が必要になる。
【００１２】
一般的な条件では、排水部材１２の外面傾斜角度を１０度（頂角で２０度）以上にすると、排水部材１２に作用する前記鉛直方向の力が十分な大きさになり、この鉛直方向の力によって排水部材１２が浮き上がるような状態になるため、放水口７内の水が完全に凍結してもキャップ１０を軽い力で放水口７から抜取ることができる。
【００１３】
また、排水部材１２の外面傾斜角度を１０度程度にすると、下端面１３の直径を放水口７の直径の１／２程度にすることができ、キャップ１０の抜取り性を損なうことなく、下端面１３を十分な大きさにすることができるので、主弁体４の上面における凍結量を少なくでき、主弁体４の作動力が必要以上に大きくなることはない。
【００１４】
さらに、キャップ１０を抜取ると、放水口７内に排水部材１２に対応した筒状の空間が形成され、この空間が主弁体４を開いたときに放水路として機能するため、外周部が完全に凍結していても直ちに放水を開始することができ、放水による水流で放水口７内の氷を溶かして排除することができる。
【００１５】
このとき、下端面１３と主弁体４との間の水が凍結していても、氷の厚さは僅かであるから、主弁体４を開く際に砕けたり、水圧により砕けたりするので、放水操作に影響を与えることはない。
【００１６】
また、前記ガイド面１４は、排水部材１２の上部外周面をホームベース状に突出させたものであって、ガイド面１４の下部両方向には、排水部材１２の軸線に対して傾斜したガイド部１４ａがそれぞれ設けられている。
【００１７】
このガイド部１４ａは、キャップ１０を取外す際に、キャップ１０を任意の方向に回動させることにより、放水口７内の凍結状態に応じて、氷を砕いたり、傾斜に沿って排水部材１２を上方に移動させたり、あるいは、排水部材１２を抜取るための空気の流入部を形成したりするものであって、このようなガイド部１４ａを設けることにより、キャップ１０の取り外しに要する力を大幅に軽減することができる。また、このようなガイド面１４は、図４の断面図に示すように、下部のガイド部１４ａが排水部材１２の外周面において一回転方向のみを向くような形状に形成することもでき、ガイド部１４ａを緩やかな曲線状としてもよい。
【００１８】
なお、キャップ１０におけるキャップ本体１１と排水部材１２とは一体成形してもよく、同一材料あるいは異種材料で別体に成形したものを組付けるようにしてもよい。いずれにしても、キャップ１０を放水口７に装着したときに、キャップ１０の自重で排水部材１２に相当する分の水を放水口７から排出できればよい。また、排水部材１２の全体を同一角度の逆円錐台にすることなく、外面傾斜角度が異なる円錐部を組合わせてもよく、一部を円柱状に形成してもよい。
【００１９】
【発明の効果】
以上説明したように、本発明の放水口用キャップは、消火栓の放水口内に残った水が凍結してもキャップを簡単に取外すことができ、放水用の水路を形成することができるので、凍結時でも直ちに放水を開始することができる。
【図面の簡単な説明】
【図１】  本発明の放水口用キャップを装着した状態を示す消火栓の断面図である。
【図２】  キャップを下方から見た一部切欠き斜視図である。
【図３】  キャップの底面図である。
【図４】  放水口用キャップに設けられるガイド面の他の形状例を示す要部の断面図である。
【符号の説明】
１…消火栓、２…フランジ、３…弁箱、４…主弁体、５…副弁体、６…差し金具、７…放水口、１０…キャップ、１１…キャップ部、１２…排水部材、１３…下端面、１４…ガイド面、１４ａ…ガイド部
【図１】
0004171556.tif 000002
【図２】
0004171556.tif 000003
【図３】
0004171556.tif 000004
【図４】
0004171556.tif 000005